(57)【要約】【課題】  鋏を用いずに美しく開封することができるパッケージ構造体を提供する。【解決手段】  １枚のシート体２を折曲げるとともに接着Ｓして全体を箱体Ｘとしたパッケージ構造体に於て、全体を箱体Ｘとするための接着用のりしろ５を有する。のりしろ５の一部に、開封用非接着部６を設ける。非接着部６を通る２本の開封用ミシン目４を形成する。【選択図】  図１
0003112137.tif 000002
【実用新案登録請求の範囲】
【請求項１】
１枚のシート体（２）を折曲げるとともに接着（Ｓ）して全体を箱体（Ｘ）としたパッケージ構造体に於て、
全体を箱体（Ｘ）とするための接着用のりしろ（５）を有し、
該のりしろ（５）の一部に、開封用非接着部（６）又は開封用弱接着部（８）を設け、かつ、該非接着部（６）又は弱接着部（８）を通る２本の開封用ミシン目（４）又はハーフカット罫（14）を形成したことを特徴とするパッケージ構造体。
【請求項２】
１枚のシート体（２）を折曲げるとともに接着（Ｓ）して全体を袋体（Ｙ）としたパッケージ構造体に於て、
全体を袋体（Ｙ）とするための接着用のりしろ（５）を有し、
該のりしろ（５）の一部に、開封用非接着部（６）又は開封用弱接着部（８）を設け、かつ、該非接着部（６）又は弱接着部（８）を通る２本の開封用ミシン目（４）又はハーフカット罫（14）を形成したことを特徴とするパッケージ構造体。
【請求項３】
１枚のシート体（２）を折曲げるとともに接着（Ｓ）して全体を箱体（Ｘ）又は袋体（Ｙ）としたパッケージ構造体に於て、
全体を箱体（Ｘ）又は袋体（Ｙ）とするための接着用のりしろ（５）を有し、
上記のりしろ（５）が対応する部分（９）の一部に、剥離ニス（10）又は剥離紙を有する開封用非接着部（６）を設け、かつ、該非接着部（６）を通る２本の開封用ミシン目（４）又はハーフカット罫（14）を形成したことを特徴とするパッケージ構造体。
【請求項４】
１枚のシート体（２）を折曲げるとともに接着（Ｓ）して全体を箱体（Ｘ）又は袋体（Ｙ）としたパッケージ構造体に於て、
全体を箱体（Ｘ）又は袋体（Ｙ）とするための接着用のりしろ（５）を有し、
該のりしろ（５）の一部に、開封用非接着部（６）又は開封用弱接着部（８）を設け、かつ、該非接着部（６）又は弱接着部（８）を通る２本の開封用ミシン目（４）又はハーフカット罫（14）を形成し、
さらに、該ミシン目（４）又はハーフカット罫（14）の外端（７）近傍に開封用つまみ部（３）を形成したことを特徴とするパッケージ構造体。
【請求項５】
１枚の透明なシート体（２）を折曲げるとともに接着（Ｓ）して全体を箱体（Ｘ）又は袋体（Ｙ）としたパッケージ構造体に於て、
全体を箱体（Ｘ）又は袋体（Ｙ）とするための接着用のりしろ（５）を有し、
該のりしろ（５）の一部に、開封用非接着部（６）又は開封用弱接着部（８）を設け、かつ、該非接着部（６）又は弱接着部（８）を通る２本の開封用ミシン目（４）又はハーフカット罫（14）を形成し、
さらに、接着（Ｓ）に用いられる接着剤（13）が着色されていることを特徴とするパッケージ構造体。
【請求項６】
１枚のシート体（２）を折曲げるとともに接着（Ｓ）して全体を箱体（Ｘ）としたパッケージ構造体に於て、
全体を開閉自在な蓋部（11）を有し、
該蓋部（11）が閉蓋用接着部（12）を有するとともに、該接着部（12）近傍に、開封用非接着部（６）又は開封用弱接着部（８）を設け、かつ、該非接着部（６）又は弱接着部（８）を通る２本の開封用ミシン目（４）又はハーフカット罫（14）を形成したことを特徴とするパッケージ構造体。
【請求項７】
１枚のシート体（２）を折曲げるとともに接着（Ｓ）して全体を袋体（Ｙ）としたパッケージ構造体に於て、
全体を開閉自在な蓋部（11）を有し、
該蓋部（11）が閉蓋用接着部（12）を有するとともに、該接着部（12）近傍に、開封用非接着部（６）又は開封用弱接着部（８）を設け、かつ、該非接着部（６）又は弱接着部（８）を通る２本の開封用ミシン目（４）又はハーフカット罫（14）を形成したことを特徴とするパッケージ構造体。
【請求項８】
１枚のシート体（２）を折曲げるとともに接着（Ｓ）して全体を箱体（Ｘ）又は袋体（Ｙ）としたパッケージ構造体に於て、
全体を開閉自在な蓋部（11）を有し、
該蓋部（11）が閉蓋用接着部（12）を有するとともに、該接着部（12）が対応する部分（９）の一部に、剥離ニス（10）又は剥離紙を有する開封用非接着部（６）を設け、かつ、該非接着部（６）を通る２本の開封用ミシン目（４）又はハーフカット罫（14）を形成したことを特徴とするパッケージ構造体。
【請求項９】
１枚のシート体（２）を折曲げるとともに接着（Ｓ）して全体を箱体（Ｘ）又は袋体（Ｙ）としたパッケージ構造体に於て、
全体を開閉自在な蓋部（11）を有し、
該蓋部（11）が閉蓋用接着部（12）を有するとともに、該接着部（12）近傍に、開封用非接着部（６）又は開封用弱接着部（８）を設け、かつ、該非接着部（６）又は弱接着部（８）を通る２本の開封用ミシン目（４）又はハーフカット罫（14）を形成し、
さらに、該ミシン目（４）又はハーフカット罫（14）の外端（７）近傍に開封用つまみ部（３）を形成したことを特徴とするパッケージ構造体。
【請求項１０】
１枚の透明なシート体（２）を折曲げるとともに接着（Ｓ）して全体を箱体（Ｘ）又は袋体（Ｙ）としたパッケージ構造体に於て、
全体を開閉自在な蓋部（11）を有し、
該蓋部（11）が閉蓋用接着部（12）を有するとともに、該接着部（12）近傍に、開封用非接着部（６）又は開封用弱接着部（８）を設け、かつ、該非接着部（６）又は弱接着部（８）を通る２本の開封用ミシン目（４）又はハーフカット罫（14）を形成し、
さらに、接着（Ｓ）に用いられる接着剤（13）が着色されていることを特徴とするパッケージ構造体。
【考案の詳細な説明】
【技術分野】
【０００１】
本考案は、パッケージ構造体に関する。
【背景技術】
【０００２】
一般に、物品の販売・配達のとき等には、商品をパッケージ構造体に収納して、販売・配達する。
【０００３】
しかし、全体が密封状となるように、のりしろや蓋部が長手方向にわたって接着されるものであって、パッケージ構造体を開封するときに、鋏を用いる必要があり、手間がかかるという欠点があった。あるいは、鋏を用いないとすると、パッケージ構造体を破って開封することになり、美しく開封するのは難しかった。さらに、パッケージ構造体を密封状にして閉蓋する場合、閉蓋した複数のパッケージ構造体を積み重ねて置くと、内部に空気が多く含まれるので、かさばるという欠点があった。
【考案の開示】
【考案が解決しようとする課題】
【０００４】
解決しようとする課題は、鋏を用いずには美しく開封できない点である。また、閉蓋時に積み重ねるとかさばる点である。
【課題を解決するための手段】
【０００５】
そこで、本考案に係るパッケージ構造体は、１枚のシート体を折曲げるとともに接着して全体を箱体としたパッケージ構造体に於て、全体を箱体とするための接着用のりしろを有し、該のりしろの一部に、開封用非接着部又は開封用弱接着部を設け、かつ、該非接着部又は弱接着部を通る２本の開封用ミシン目又はハーフカット罫を形成したものである。  また、１枚のシート体を折曲げるとともに接着して全体を袋体としたパッケージ構造体に於て、全体を袋体とするための接着用のりしろを有し、該のりしろの一部に、開封用非接着部又は開封用弱接着部を設け、かつ、該非接着部又は弱接着部を通る２本の開封用ミシン目又はハーフカット罫を形成したものである。
【０００６】
また、１枚のシート体を折曲げるとともに接着して全体を箱体又は袋体としたパッケージ構造体に於て、全体を箱体又は袋体とするための接着用のりしろを有し、上記のりしろが対応する部分の一部に、剥離ニス又は剥離紙を有する開封用非接着部を設け、かつ、該非接着部を通る２本の開封用ミシン目又はハーフカット罫を形成したものである。
【０００７】
また、１枚のシート体を折曲げるとともに接着して全体を箱体又は袋体としたパッケージ構造体に於て、全体を箱体又は袋体とするための接着用のりしろを有し、該のりしろの一部に、開封用非接着部又は開封用弱接着部を設け、かつ、該非接着部又は弱接着部を通る２本の開封用ミシン目又はハーフカット罫を形成し、さらに、該ミシン目又はハーフカット罫の外端近傍に開封用つまみ部を形成したものである。
また、１枚の透明なシート体を折曲げるとともに接着して全体を箱体又は袋体としたパッケージ構造体に於て、全体を箱体又は袋体とするための接着用のりしろを有し、該のりしろの一部に、開封用非接着部又は開封用弱接着部を設け、かつ、該非接着部又は弱接着部を通る２本の開封用ミシン目又はハーフカット罫を形成し、さらに、接着に用いられる接着剤が着色されているものである。
【０００８】
また、１枚のシート体を折曲げるとともに接着して全体を箱体としたパッケージ構造体に於て、全体を開閉自在な蓋部を有し、該蓋部が閉蓋用接着部を有するとともに、該接着部近傍に、開封用非接着部又は開封用弱接着部を設け、かつ、該非接着部又は弱接着部を通る２本の開封用ミシン目又はハーフカット罫を形成したものである。
また、１枚のシート体を折曲げるとともに接着して全体を袋体としたパッケージ構造体に於て、全体を開閉自在な蓋部を有し、該蓋部が閉蓋用接着部を有するとともに、該接着部近傍に、開封用非接着部又は開封用弱接着部を設け、かつ、該非接着部又は弱接着部を通る２本の開封用ミシン目又はハーフカット罫を形成したものである。
【０００９】
また、１枚のシート体を折曲げるとともに接着して全体を箱体又は袋体としたパッケージ構造体に於て、全体を開閉自在な蓋部を有し、該蓋部が閉蓋用接着部を有するとともに、該接着部が対応する部分の一部に、剥離ニス又は剥離紙を有する開封用非接着部を設け、かつ、該非接着部を通る２本の開封用ミシン目又はハーフカット罫を形成したものである。
【００１０】
また、１枚のシート体を折曲げるとともに接着して全体を箱体又は袋体としたパッケージ構造体に於て、全体を開閉自在な蓋部を有し、該蓋部が閉蓋用接着部を有するとともに、該接着部近傍に、開封用非接着部又は開封用弱接着部を設け、かつ、該非接着部又は弱接着部を通る２本の開封用ミシン目又はハーフカット罫を形成し、さらに、該ミシン目又はハーフカット罫の外端近傍に開封用つまみ部を形成したものである。
また、１枚の透明なシート体を折曲げるとともに接着して全体を箱体又は袋体としたパッケージ構造体に於て、全体を開閉自在な蓋部を有し、該蓋部が閉蓋用接着部を有するとともに、該接着部近傍に、開封用非接着部又は開封用弱接着部を設け、かつ、該非接着部又は弱接着部を通る２本の開封用ミシン目又はハーフカット罫を形成し、さらに、接着に用いられる接着剤が着色されているものである。
【考案の効果】
【００１１】
本考案のパッケージ構造体によれば、鋏を用いずに美しく開封することができる。また、閉蓋時に積み重ねても、かさばらず、省スペースに収納することができる。
【考案を実施するための最良の形態】
【００１２】
図１〜図６は、本考案の第１の実施の形態を示す。図２は図１のＡ−Ａの位置（非開封部）に於ける端面断面図、図３は図１のＢ−Ｂの位置（開封部）に於ける端面断面図、図５は図４のＤ−Ｄの位置に於ける端面断面図である。さらに、図６（Ａ）は図１のＣ−Ｃの位置に於ける端面断面図、図６（Ｂ）は接着部１の説明用正面図である。
【００１３】
このパッケージ構造体は、１枚の透明樹脂製シート体２を折曲げるとともに接着Ｓして全体を箱体としたものである。図１の閉蓋状態から、図４・図５の矢印に示すようにつまみ部３を引張ることにより、ミシン目４に沿ってパッケージ構造体を開封することができる。
【００１４】
パッケージ構造体は、全体を箱体とするための接着用のりしろ５を有する。１は接着部を示す。のりしろ５の一部に、開封用非接着部６が設けられている。そして、非接着部６を通る２本の環状開封用ミシン目４が形成されている。ミシン目４の外端７近傍に開封用つまみ部３が形成されている。
【００１５】
図７は、第２の実施の形態を示す。すなわち、のりしろ５（図１〜図５参照）の一部に開封用弱接着部８が設けられている。具体的には、弱接着部８は接着部１の幅寸法Ｗが他の部分の幅寸法Ｗよりも狭い幅寸法ｗに設定されている部分である。
【００１６】
図８は、第３の実施の形態を示す。のりしろ５が対応する部分９の一部に、剥離ニス10を有する開封用非接着部６が設けられている。
【００１７】
図９〜図12は、第４の実施の形態を示す。図９〜図11は使用状態を示し、図12は未使用状態を示す。図10は図９のＥ−Ｅの位置（非開封部）に於ける端面断面図、図11は図９のＦ−Ｆの位置（開封部）に於ける端面断面図である。
【００１８】
このパッケージ構造体は、１枚の紙製シート体２を折曲げるとともに接着Ｓして全体を袋体としたものである。全体を開閉自在な蓋部11を有する。蓋部11が閉蓋用接着部12を有するとともに、接着部12近傍に、開封用非接着部６が設けられている。なお、図示省略するが、閉蓋用接着部12に剥離紙を積層させておくのが流通過程上好ましい。
【００１９】
なお、本考案は、設計変更可能であって、例えば、第１の実施の形態、第２の実施の形態、第３の実施の形態のそれぞれに於て、全体を袋体Ｙとするも良い。また、第４の実施の形態の全体を箱体Ｘとするも良い。また、第４の実施の形態の非接着部６の代わりに弱接着部８を設けるも良い。
また、上述した各実施の形態に於て、ミシン目４の代わりに、例えば、図６（Ｃ）に示す如く、Ｖ字状の鋭利なトムソン刃によって、表面から浅くＶ字状のハーフカット罫14を形成するも、望ましく、スルメを裂くが如くに、開封可能となる。即ち、図６（Ｃ）に於ては、図６（Ａ）のミシン目４の位置に、ハーフカット罫14を凹設したもので、例えば、ＰＥＴ材から成るシート体２では、Ｖ字状のハーフカット罫14の深さ寸法をＴ1 とし、シート体２の厚さ寸法をＴ0 とすれば、0.15×Ｔ0 ≦Ｔ1 ≦ 0.3×Ｔ0 とするのが望ましい。Ｔ1 が下限値未満であると、美しくかつ容易に裂く（開封する）ことが困難となり、逆に、Ｔ1 が上限値を越えると、Ｖ字状にハーフカット罫14をトムソン刃で加工時に、亀裂する（損傷を受ける）虞れがある。また、シート体２がＰＰ（ポリプロピレン）の場合は、同様の理由で、0.01×Ｔ0 ≦Ｔ1 ≦0.07×Ｔ0 とする。
【００２０】
さらに、接着Ｓに用いられる接着剤13が着色されているものであるも好ましい。また、つまみ部３を省略しても良い。また、ミシン目４又はハーフカット罫14は環状でなくても良い。また、剥離ニス10の代わりに剥離紙を用いるも良い。また、シート体２の材質は、透明樹脂や紙以外の材質（例えば不透明樹脂）であっても良い。
また、弱接着部８を、接着力の弱い接着剤13を部分的に使用したり、部分的に接着剤13の塗布量を少なくすることにより形成するも良い。
【００２１】
以上のように、本考案は、１枚のシート体２を折曲げるとともに接着Ｓして全体を箱体Ｘとしたパッケージ構造体に於て、全体を箱体Ｘとするための接着用のりしろ５を有し、のりしろ５の一部に、開封用非接着部６又は開封用弱接着部８を設け、かつ、非接着部６又は弱接着部８を通る２本の開封用ミシン目４又はハーフカット罫14を形成したので、鋏を用いずに容易に美しく開封することができる。また、非接着部６を設けた場合、閉蓋時に積み重ねても、かさばらず、省スペースに収納することができる。
【００２２】
また、１枚のシート体２を折曲げるとともに接着Ｓして全体を袋体Ｙとしたパッケージ構造体に於て、全体を袋体Ｙとするための接着用のりしろ５を有し、のりしろ５の一部に、開封用非接着部６又は開封用弱接着部８を設け、かつ、非接着部６又は弱接着部８を通る２本の開封用ミシン目４又はハーフカット罫14を形成したので、鋏を用いずに容易に美しく開封することができる。また、非接着部６を設けた場合、閉蓋時に積み重ねても、かさばらず、省スペースに収納することができる。
【００２３】
また、１枚のシート体２を折曲げるとともに接着Ｓして全体を箱体Ｘ又は袋体Ｙとしたパッケージ構造体に於て、全体を箱体Ｘ又は袋体Ｙとするための接着用のりしろ５を有し、のりしろ５が対応する部分９の一部に、剥離ニス10又は剥離紙を有する開封用非接着部６を設け、かつ、非接着部６を通る２本の開封用ミシン目４又はハーフカット罫14を形成したので、鋏を用いずに容易に美しく開封することができる。また、閉蓋時に積み重ねても、かさばらず、省スペースに収納することができる。
【００２４】
また、１枚のシート体２を折曲げるとともに接着Ｓして全体を箱体Ｘ又は袋体Ｙとしたパッケージ構造体に於て、全体を箱体Ｘ又は袋体Ｙとするための接着用のりしろ５を有し、のりしろ５の一部に、開封用非接着部６又は開封用弱接着部８を設け、かつ、非接着部６又は弱接着部８を通る２本の開封用ミシン目４又はハーフカット罫14を形成し、さらに、ミシン目４又はハーフカット罫14の外端７近傍に開封用つまみ部３を形成したので、鋏を用いずに容易に美しく開封することができる。また、閉蓋時に積み重ねても、かさばらず、省スペースに収納することができる。また、つまみ部３から開封することができ、一層容易に開封することができる。
【００２５】
また、１枚のシート体２を折曲げるとともに接着Ｓして全体を箱体Ｘ又は袋体Ｙとしたパッケージ構造体に於て、全体を箱体Ｘ又は袋体Ｙとするための接着用のりしろ５を有し、のりしろ５の一部に、開封用非接着部６又は開封用弱接着部８を設け、かつ、非接着部６又は弱接着部８を通る２本の開封用ミシン目４又はハーフカット罫14を形成し、さらに、接着Ｓに用いられる接着剤13が着色されているので、鋏を用いずに容易に美しく開封することができる。また、非接着部６を設けた場合、閉蓋時に積み重ねても、かさばらず、省スペースに収納することができる。また、非接着部６が目立つので、開封部（非接着部６）を見つけやすく、一層容易に開封することができる。
【００２６】
また、１枚のシート体２を折曲げるとともに接着Ｓして全体を箱体Ｘとしたパッケージ構造体に於て、全体を開閉自在な蓋部11を有し、蓋部11が閉蓋用接着部12を有するとともに、接着部12近傍に、開封用非接着部６又は開封用弱接着部８を設け、かつ、非接着部６又は弱接着部８を通る２本の開封用ミシン目４又はハーフカット罫14を形成したので、鋏を用いずに容易に美しく開封することができる。また、非接着部６を設けた場合、閉蓋時に積み重ねても、かさばらず、省スペースに収納することができる。
【００２７】
また、１枚のシート体２を折曲げるとともに接着Ｓして全体を袋体Ｙとしたパッケージ構造体に於て、全体を開閉自在な蓋部11を有し、蓋部11が閉蓋用接着部12を有するとともに、接着部12近傍に、開封用非接着部６又は開封用弱接着部８を設け、かつ、非接着部６又は弱接着部８を通る２本の開封用ミシン目４又はハーフカット罫14を形成したので、鋏を用いずに容易に美しく開封することができる。また、非接着部６を設けた場合、閉蓋時に積み重ねても、かさばらず、省スペースに収納することができる。
【００２８】
また、１枚のシート体２を折曲げるとともに接着Ｓして全体を箱体Ｘ又は袋体Ｙとしたパッケージ構造体に於て、全体を開閉自在な蓋部11を有し、蓋部11が閉蓋用接着部12を有するとともに、接着部12が対応する部分９の一部に、剥離ニス10又は剥離紙を有する開封用非接着部６を設け、かつ、非接着部６を通る２本の開封用ミシン目４又はハーフカット罫14を形成したので、鋏を用いずに美しく開封することができる。また、閉蓋時に積み重ねても、かさばらず、省スペースに容易に収納することができる。
【００２９】
また、１枚のシート体２を折曲げるとともに接着Ｓして全体を箱体Ｘ又は袋体Ｙとしたパッケージ構造体に於て、全体を開閉自在な蓋部11を有し、蓋部11が閉蓋用接着部12を有するとともに、接着部12近傍に、開封用非接着部６又は開封用弱接着部８を設け、かつ、非接着部６又は弱接着部８を通る２本の開封用ミシン目４又はハーフカット罫14を形成し、さらに、ミシン目４又はハーフカット罫14の外端７近傍に開封用つまみ部３を形成したので、鋏を用いずに容易に美しく開封することができる。また、閉蓋時に積み重ねても、かさばらず、省スペースに収納することができる。また、つまみ部３から開封することができ、一層容易に開封することができる。
【００３０】
また、１枚のシート体２を折曲げるとともに接着Ｓして全体を箱体Ｘ又は袋体Ｙとしたパッケージ構造体に於て、全体を開閉自在な蓋部11を有し、蓋部11が閉蓋用接着部12を有するとともに、接着部12近傍に、開封用非接着部６又は開封用弱接着部８を設け、かつ、非接着部６又は弱接着部８を通る２本の開封用ミシン目４又はハーフカット罫14を形成し、さらに、接着Ｓに用いられる接着剤13が着色されているので、鋏を用いずに容易に美しく開封することができる。また、非接着部６を設けた場合、閉蓋時に積み重ねても、かさばらず、省スペースに収納することができる。また、非接着部６が目立つので、開封部（非接着部６）を見つけやすく、一層容易に開封することができる。
【図面の簡単な説明】
【００３１】
【図１】第１の実施の形態を示す斜視図を示す。
【図２】図１のＡ−Ａ端面断面図を示す。
【図３】図１のＢ−Ｂ端面断面図を示す。
【図４】斜視図を示す。
【図５】図４のＤ−Ｄ端面断面図を示す。
【図６】要部の説明図であって、（Ａ）は図１のＣ−Ｃ端面断面説明図、（Ｂ）は接着部の正面説明図、（Ｃ）は変形例を示す断面説明図である。
【図７】第２の実施の形態を示す。
【図８】第３の実施の形態を示す。
【図９】第４の実施の形態を示す。
【図１０】図９のＥ−Ｅ端面断面図を示す。
【図１１】図９のＦ−Ｆ端面断面図を示す。
【図１２】正面図を示す。
【符号の説明】
【００３２】
２  シート体
３  つまみ部
４  ミシン目
５  のりしろ
６  （開封用）非接着部
７  外端
８  （開封用）弱接着部
９  部分
10  剥離ニス
11  蓋部
12  （閉蓋用）接着部
13  接着剤
14  ハーフカット罫
Ｓ  接着
Ｘ  箱体
Ｙ  袋体
【図１】
0003112137.tif 000003
【図２】
0003112137.tif 000004
【図３】
0003112137.tif 000005
【図４】
0003112137.tif 000006
【図５】
0003112137.tif 000007
【図６】
0003112137.tif 000008
【図７】
0003112137.tif 000009
【図８】
0003112137.tif 000010
【図９】
0003112137.tif 000011
【図１０】
0003112137.tif 000012
【図１１】
0003112137.tif 000013
【図１２】
0003112137.tif 000014